(57)【要約】【課題】複数の動作から１つの動作を選択する操作をより容易にすること。【解決手段】入力装置６、７の操作に基づいて複数動作のうちから複数抽出動作が抽出されたときに、複数抽出動作に対応する複数ショートカット３２−１〜３２−ｎが表示されるショートカット画面３１を生成するショートカット設定部２３と、ショートカット画面３１がタッチパネル７に表示されているときに、タッチパネル７のうちの接触される点に基づいて複数ショートカット３２−１〜３２−ｎのうちから選択ショートカットを選択して複数抽出動作のうちの選択ショートカットに対応する選択動作を実行する実行部２４とを備えている。【選択図】図３
2008236466.tif 000002
【特許請求の範囲】
【請求項１】
入力装置の操作に基づいて複数動作のうちから複数抽出動作が抽出されたときに、前記複数抽出動作に対応する複数ショートカットが表示されるショートカット画面を生成するショートカット設定部と、
前記ショートカット画面がタッチパネルに表示されているときに、前記タッチパネルのうちの接触される点に基づいて前記複数ショートカットのうちから選択ショートカットを選択して前記複数抽出動作のうちの選択ショートカットに対応する選択動作を実行する実行部
とを具備する携帯電話機。
【請求項２】
請求項１において、
前記ショートカット設定部は、更に、入力装置の操作に基づいて前記ショートカット画面に前記複数ショートカットが配置される位置を変更する
携帯電話機。
【請求項３】
請求項１において、
前記複数ショートカットは、それぞれ、前記複数抽出動作の個数が少ないほど大きくなるように前記ショートカット画面に表示される
携帯電話機。
【請求項４】
請求項２または請求項３のいずれかにおいて、
前記タッチパネルに接触される点の軌跡に基づいて図形を生成する手書き入力部を更に具備し、
前記図形は、前記複数動作のうちのいずれかの動作により処理される
携帯電話機。
【請求項５】
請求項２または請求項３のいずれかにおいて、
前記タッチパネルに数字に対応するテンキーが表示されるテンキー入力画面を表示して、前記タッチパネルのうちの接触される点に基づいて前記テンキーのうちのキーを選択し、前記数字のうちの前記キーに対応する数字に基づいて数字列を生成するテンキー入力部と、
前記数字列は、前記複数動作のうちのいずれかの動作により処理される
携帯電話機。
【請求項６】
請求項２または請求項３のいずれかにおいて、
前記タッチパネルに数字に対応するテンキーが表示されるテンキー入力画面を表示して、前記タッチパネルのうちの接触される点に基づいて前記テンキーのうちの１つのキーを選択し、前記数字のうちの前記キーに対応する数字に基づいて電話番号を生成するテンキー入力部と、
無線装置を用いて前記電話番号に電話する電話部
とを更に具備する携帯電話機。
【発明の詳細な説明】
【技術分野】
【０００１】
本発明は、携帯電話機に関し、特に、通話を含む様々な動作を実行することができる携帯電話機に関する。
【背景技術】
【０００２】
通話を含む様々な動作を実行することができる携帯電話機が知られている。このような携帯電話機は、その様々な動作から１つの動作を選択して実行させるユーザの操作が容易であることが望まれている。
【０００３】
ディスプレイに各種機能やアプリケーションのショートカットを設定することができる携帯電話機が知られている。このような携帯電話機は、折畳み型本体の一方に液晶ディスプレイが設けられ、他方に操作部が設けられる構成となっている。その操作部は、カーソルキー、オンフック／オフフックキー、テンキーから構成されている。このような携帯電話機は、ディスプレイ画面の領域が限られているために、ショートカットの表示が小さくわかりづらいことがある。ショートカットの表示がよりわかりやすい携帯電話機が望まれている。
【０００４】
特開２００５−０７２９２１号公報には、ワンタッチ登録ボタンを利用した宛先指定の操作性を向上させるとともに、ボタンに表示される宛先を容易に識別できる通信端末装置が開示されている。その通信端末装置は、タッチパネル上に表示された宛先指定画面のワンタッチボタンを押下することにより宛先指定を行う通信端末装置において、ワンタッチ送信時に宛先指定画面を表示する制御手段を備え、上記制御手段が複数のワンタッチボタンを並べて表示する宛先指定画面を表示する際、表示するワンタッチダイヤルの件数に応じて表示するボタンサイズを変更することを特徴とする。
【０００５】
特開２００６−２６０２６９号公報には、通信相手を効率よく検索することが可能であるとともに、ユーザが検索条件を指定する毎に検索結果に含まれる候補者数が増減していく様子を視覚的に容易に把握できる携帯電話機が開示されている。その携帯電話機は、通信相手それぞれについて個別情報を予め記憶している記憶手段と、ユーザによる前記個別情報の検索条件の指定操作を受け付ける操作受付手段と、前記記憶手段から前記検索条件に合致する個別情報を抽出する抽出手段と、第１の指定操作を受け付けたとき当該指定操作に応じて抽出された各個別情報に対応する標章をディスプレイの特定領域に表示し、前記第１の指定操作に後続する第２の指定操作を受け付けたとき当該指定操作に応じて抽出された各個別情報に対応する標章を前記特定領域に表示し、前記第２の指定操作を受け付けたとき前記第１の指定操作に応じて抽出された個別情報と前記第２の指定操作に応じて抽出された個別情報との差分に相当する各個別情報に対応する標章を所定の表示態様で表示してその後に消去する表示制御手段と、前記特定領域に表示されている標章の各々を、ユーザの操作に応じて選択し、選択した標章に対応する個別情報の少なくとも一部を表示する選択情報表示手段とを備えることを特徴とする。
【０００６】
特開２００６−２７９３６１号公報には、液晶表示装置等からなる表示部を複数備え、端末操作に必要な操作キーを複数の表示部の一つにタッチパネル操作可能に表示することで、複数の表示部に操作キーや任意のアプリケーション表示を表示させることが可能となり、同一又は異なるアプリケーション表示を同時に表示させることもでき、マルチタスク対応の携帯電話機等に好適な表示手段を実現できる携帯端末装置が開示されている。その携帯端末装置は、外部と通信可能な携帯端末装置であって、所定の表示内容を表示する表示部を複数備え、前記複数の表示部の少なくとも一つが、所定の端末操作を行うための操作キーをタッチ操作可能に表示するとともに、当該操作キー表示以外の表示内容を表示するタッチパネル表示部からなることを特徴とする。
【０００７】
【特許文献１】特開２００５−０７２９２１号公報
【特許文献２】特開２００６−２６０２６９号公報
【特許文献３】特開２００６−２７９３６１号公報
【発明の開示】
【発明が解決しようとする課題】
【０００８】
本発明の課題は、複数の動作から１つの動作を選択する操作をより容易にする携帯電話機を提供することにある。
本発明の他の課題は、複数の動作から１つの動作を選択するときに利用される画面をよりわかりやすく表示する携帯電話機を提供することにある。
【課題を解決するための手段】
【０００９】
以下に、発明を実施するための最良の形態・実施例で使用される符号を括弧付きで用いて、課題を解決するための手段を記載する。この符号は、特許請求の範囲の記載と発明を実施するための最良の形態・実施例の記載との対応を明らかにするために付加されたものであり、特許請求の範囲に記載されている発明の技術的範囲の解釈に用いてはならない。
【００１０】
本発明による携帯電話機（１）は、入力装置（６、７）の操作に基づいて複数動作のうちから複数抽出動作が抽出されたときに、複数抽出動作に対応する複数ショートカット（３２−１〜３２−ｎ）が表示されるショートカット画面（３１）を生成するショートカット設定部（２３）と、ショートカット画面（３１）がタッチパネル（７）に表示されているときに、タッチパネル（７）のうちの接触される点に基づいて複数ショートカット（３２−１〜３２−ｎ）のうちから選択ショートカットを選択して複数抽出動作のうちの選択ショートカットに対応する選択動作を実行する実行部（２４）とを備えている。
【００１１】
ショートカット設定部（２３）は、さらに、入力装置（６、７）の操作に基づいてショートカット画面（３１）に複数ショートカット（３２−１〜３２−ｎ）が配置される位置を変更する。
【００１２】
複数ショートカット（３２−１〜３２−ｎ）は、それぞれ、複数抽出動作の個数が少ないほど大きくなるようにショートカット画面（３１）に表示される。
【００１３】
本発明による携帯電話機（１）は、タッチパネル（７）に接触される点（５２）の軌跡に基づいて図形（５３）を生成する手書き入力部（２５）をさらに備えている。図形（５３）は、複数動作のうちのいずれかの動作により処理される。図形（５３）としては、文字が例示される。このとき、手書き入力部（２５）は、図形（５３）を文字に文字認識することがさらに好ましい。
【００１４】
本発明による携帯電話機（１）は、タッチパネル（７）に数字に対応するテンキー（４２−１〜４２−＃）が表示されるテンキー入力画面（４１）を表示して、タッチパネル（７）のうちの接触される点に基づいてテンキー（４２−１〜４２−＃）のうちのキーを選択し、数字のうちのキーに対応する数字に基づいて数字列を生成するテンキー入力部（２６）と、数字列は、複数動作のうちのいずれかの動作により処理される。
【００１５】
本発明による携帯電話機（１）は、タッチパネル（７）に数字に対応するテンキー（４２−１〜４２−＃）が表示されるテンキー入力画面（４１）を表示して、タッチパネル（７）のうちの接触される点に基づいてテンキー（４２−１〜４２−＃）のうちの１つのキーを選択し、数字のうちのキーに対応する数字に基づいて電話番号を生成するテンキー入力部（２６）と、無線装置（８）を用いてその電話番号に電話する電話部（２７）とをさらに備えている。
【発明の効果】
【００１６】
本発明による携帯電話機によれば、ユーザは、複数の動作から１つの動作をより容易に選択することができる。
【発明を実施するための最良の形態】
【００１７】
図面を参照して、本発明による携帯電話機の実施の形態を記載する。その携帯電話機１は、図１に示されているように、ＣＰＵ２とメモリ３とディスプレイ５と操作キー６とタッチパネル７と無線装置８とを備えている。ＣＰＵ２は、携帯電話機１にインストールされるコンピュータプログラムを実行して、メモリ３とディスプレイ５と操作キー６とタッチパネル７とを制御する。メモリ３は、そのコンピュータプログラムを記録し、ＣＰＵ２により生成される情報を一時的に記録するディスプレイ５は、ＣＰＵ２により生成される画面を表示する。
【００１８】
操作キー６は、複数のキーを備えている。その複数のキーは、カーソルキーとオンフックキーとオフフックキーとを含んでいる。操作キー６は、その複数のキーのうちのユーザにより押下されたキーを識別する情報をＣＰＵ２に出力する。すなわち、操作キー６は、その複数のキーがユーザにより操作されることにより生成される情報をＣＰＵ２に出力する。タッチパネル７は、表示面を備えている。タッチパネル７は、ＣＰＵ２により生成される画面をその表示面に表示し、その表示面のうちのユーザにより接触される部位の位置をＣＰＵ２に出力する。
【００１９】
無線装置８は、ＣＰＵ２により制御されて、携帯電話回線網を構成する無線基地局と無線通信することにより、その携帯電話回線網を介して、その携帯電話回線網に直接にまたは間接に接続される他の装置と通信する。たとえば、無線装置８は、電話するときに利用され、電子メールを送受信するときに利用される。無線装置８は、電話に利用されるときに、図示されていないマイクとスピーカとをさらに備え、ＣＰＵ２により制御されて、そのマイクにより検出された音声を相手先装置に送信し、そのスピーカを用いてその相手先装置から受信した音声を出力する。さらに、無線装置８は、ＣＰＵ２により制御されて、その携帯電話回線網に公開されている情報をＣＰＵ２に出力し、ＣＰＵ２により生成された情報をその携帯電話回線網に公開する。
【００２０】
携帯電話機１は、図２に示されているように、筐体１１と筐体１２とヒンジ部１４とを備えている。ヒンジ部１４は、筐体１１が筐体１２に対して回転移動することができるように、すなわち、筐体１１と筐体１２とを折り畳むことができるように、筐体１１を筐体１２に支持している。ディスプレイ５は、筐体１１の１つの面に配置されている。操作キー６とタッチパネル７とは、筐体１２の１つの面に配置されている。筐体１１のディスプレイ５が配置される面は、筐体１１と筐体１２とが折り畳まれるときに、筐体１２の操作キー６とタッチパネル７とが配置される面に概ね対向し、筐体１１と筐体１２とが開かれるときに、筐体１２の操作キー６とタッチパネル７とが配置される面が向けられる方向に概ね向いている。
【００２１】
図３は、携帯電話機１にインストールされるコンピュータプログラムを示している。そのコンピュータプログラムは、アプリケーション２１とショートカット設定部２３と実行部２４と手書き入力部２５とテンキー入力部２６と電話部２７とを含んでいる。
【００２２】
アプリケーション２１は、複数のアプリケーションから形成されている。アプリケーション２１としては、電子メールを作成するアプリケーション、ネットに公開されるコンテンツを閲覧するアプリケーション、電話張に相手先と電話番号とを登録するアプリケーション、電話張から相手先と電話番号とを検索するアプリケーション、ゲームのアプリケーションが例示される。
【００２３】
ショートカット設定部２３は、ユーザによる操作に基づいてショートカット画面を生成する。
【００２４】
実行部２４は、操作キー６またはタッチパネル７にユーザにより所定の操作がなされたときに、ショートカット設定部２３により生成されたショートカット画面をタッチパネル７に表示する。実行部２４は、そのショートカット画面がタッチパネル７に表示されているときに、タッチパネル７のうちの接触される位置に基づいてアプリケーション２１のうちの１つのアプリケーションを実行する。
【００２５】
手書き入力部２５は、アプリケーション２１のうちのいずれかのアプリケーションが実行されているときに実行され、手書き入力画面をタッチパネル７に表示する。手書き入力部２５は、その手書き入力画面がタッチパネル７に表示されているときに、タッチパネル７のうちの接触される部位の位置の軌跡が描く図形を生成し、その図形をそのアプリケーションに通知する。手書き入力部２５は、さらに、その図形を文字に文字認識し、その文字をそのアプリケーションに通知する。
【００２６】
テンキー入力部２６は、アプリケーション２１のうちのいずれかのアプリケーションが実行されているときに実行され、テンキー入力画面をタッチパネル７に表示する。テンキー入力部２６は、そのテンキー入力画面がタッチパネル７に表示されているときに、タッチパネル７のうちの接触される部位の位置に基づいて、数字の重複順列から形成される数字列を生成し、その数字列をそのアプリケーションに通知する。
【００２７】
電話部２７は、操作キー６またはタッチパネル７にユーザにより所定の操作がなされたときに、テンキー入力画面をタッチパネル７に表示する。電話部２７は、そのテンキー入力画面がタッチパネル７に表示されているときに、タッチパネル７のうちの接触される部位の位置に基づいて、数字の重複順列から形成される電話番号を生成する。電話部２７は、無線装置８を用いて、携帯電話回線網を介して、マイクにより検出された音声をその電話番号により識別される相手先装置に送信し、スピーカを用いてその相手先装置から受信した音声を出力する。
【００２８】
図４は、ショートカット設定部２３により生成されるショートカット画面を示している。そのショートカット画面３１は、複数のショートカット領域３２−１〜３２−ｎ（ｎ＝２、３、４、…）を備えている。複数のショートカット領域３２−１〜３２−ｎは、概ね合同な複数の図形の内部を示し、互いに重ならないように配置されている。ショートカット領域３２−ｉ（ｉ＝１、２、３、…、ｎ）は、アプリケーション２１のいずれかに対応し、その対応するアプリケーションを識別する情報が記載されている。
【００２９】
このとき、実行部２４は、ショートカット画面３１がタッチパネル７に表示されている場合で、タッチパネル７のうちの１つの部位がユーザにより接触されたときに、ショートカット領域３２−１〜３２−ｎのうちからその部位の位置に表示されているショートカット領域３２−ｉを選択し、アプリケーション２１のうちのショートカット領域３２−ｉに対応するアプリケーションを実行する。
【００３０】
図５は、テンキー入力部２６または電話部２７により利用されるテンキー入力画面を示している。そのテンキー入力画面４１は、複数のキー領域４２−１〜４２−９、４２−０、４２−＊、４２−＃を備えている。複数のキー領域４２−１〜４２−９、４２−０、４２−＊、４２−＃は、概ね合同な複数の図形の内部を示し、互いに重ならないように配置されている。キー領域４２−１は、数字「１」に対応している。キー領域４２−２は、数字「２」に対応している。キー領域４２−３は、数字「３」に対応している。キー領域４２−４は、数字「４」に対応している。キー領域４２−５は、数字「５」に対応している。キー領域４２−６は、数字「６」に対応している。キー領域４２−７は、数字「７」に対応している。キー領域４２−８は、数字「８」に対応している。キー領域４２−９は、数字「９」に対応している。キー領域４２−０は、数字「０」に対応している。キー領域４２−＊は、文字「＊」に対応している。キー領域４２−＃は、文字「＃」に対応している。
【００３１】
このとき、テンキー入力部２６は、テンキー入力画面４１がタッチパネル７に表示されている場合で、タッチパネル７のうちの１つの部位がユーザにより接触されたときに、キー領域４２−１〜４２−９、４２−０、４２−＊、４２−＃のうちからその部位の位置に表示されているキー領域を選択し、その選択されたキー領域に対応する数字または文字を算出する。
【００３２】
電話部２７は、テンキー入力画面４１がタッチパネル７に表示されている場合で、タッチパネル７のうちの１つの部位がユーザにより接触されたときに、キー領域４２−１〜４２−９、４２−０、４２−＊、４２−＃のうちからその部位の位置に表示されているキー領域を選択し、その選択されたキー領域に対応する数字（または文字）を算出する。電話部２７は、このような動作を繰り返してその算出された数字の重複順列から形成される電話番号を生成し、無線装置８を用いてその電話番号により識別される相手先装置に電話する。
【００３３】
図６は、手書き入力部２５により利用されているときのタッチパネル７を示している。手書き入力部２５は、タッチパネル７の表示面のうちからペン５１により接触される部位５２の位置をタッチパネル７から収集し、部位５２が移動するときに部位５２の軌跡から形成される図形５３をタッチパネル７に表示し、図形５３を文字に文字認識する。手書き入力部２５は、アプリケーション２１のうちの１つのアプリケーションにより利用されているときに、さらに、その図形（または文字認識された文字を）そのアプリケーションに受け渡す。
【００３４】
携帯電話機１の動作は、ショートカット画面を設定する動作と複数のアプリケーションから１つのアプリケーションを選択する動作とタッチパネル７をテンキー入力に用いる動作とタッチパネル７を手書き入力に用いる動作とを備えている。
【００３５】
図７は、ショートカット画面を設定する動作を示している。携帯電話機１は、操作キー６またはタッチパネル７にユーザにより所定の操作がなされたときに、アプリケーションの一覧をディスプレイ５に表示する（ステップＳ１）。ユーザは、操作キー６を操作して、その一覧のうちから所望のアプリケーションを選択（抽出）する。携帯電話機１は、その選択された複数のアプリケーションに対応する複数のショートカットを含むショートカット画面を生成し、そのショートカット画面をタッチパネル７に表示する（ステップＳ２）。
【００３６】
ユーザは、タッチパネル７に表示されている複数のショートカットのうちの位置を変更したいショートカットがあるときに、タッチパネル７のうちのそのショートカットが表示されている部位を指で触れ、触れたまま所望の位置までその指を移動させてタッチパネル７から離す。このとき、携帯電話機１は、タッチパネル７のうちの接触が検出される部位に表示されるショートカットを、タッチパネル７のうちの接触が検出される部位に色を変えて表示する（ステップＳ３）。携帯電話機１は、次いで、そのショートカットがタッチパネル７から指が離された部位の近傍に表示されるように、そのショートカット画面を設定し直す（ステップＳ４）。
【００３７】
このような動作によれば、ユーザは、アプリケーション２１から普段よく使ういくつかのアプリケーションをあらかじめ選択することにより、全てのアプリケーション２１のショートカットから１つのアプリケーションのショートカットを選択することに比較して、所望のアプリケーションをより容易に選択することができる。
【００３８】
図８は、ステップＳ２で２つのアプリケーションが選択されたときにタッチパネル７に表示されるショートカット画面を示している。そのショートカット画面７１は、２つのショートカット領域７２−１〜７２−２を備えている。ショートカット領域７２−１〜７２−２は、それぞれ、ショートカット画面７１を２等分された領域に一致し、すなわち、合同な２つの図形の内部を示し、互いに重ならないで、ショートカット画面７１のうちのショートカット領域７２−１〜７２−２を除く領域の面積がより小さくなるように、配置されている。
【００３９】
図９は、ショートカットが３つであるときのショートカット画面を示す図である。そのショートカット画面７３は、２つのショートカット領域７４−１〜７４−３を備えている。ショートカット領域７４−１〜７４−３は、それぞれ、ショートカット画面７３を３等分された領域に一致し、すなわち、合同な３つの図形の内部を示し、互いに重ならないで、ショートカット画面７３のうちのショートカット領域７４−１〜７４−３を除く領域の面積がより小さくなるように、配置されている。
【００４０】
図１０は、ショートカットが４つであるときのショートカット画面を示す図である。そのショートカット画面７５は、２つのショートカット領域７６−１〜７６−４を備えている。ショートカット領域７６−１〜７６−４は、それぞれ、ショートカット画面７５を２等分された領域に一致し、すなわち、合同な２つの図形の内部を示し、互いに重ならないで、ショートカット画面７５のうちのショートカット領域７６−１〜７６−４を除く領域の面積がより小さくなるように、配置されている。
【００４１】
すなわち、携帯電話機１は、ユーザによりアプリケーションがｎ個選択されたときに、ショートカット画面７５をｎ等分された領域に概ね一致するように、すなわち、合同なｎ個の図形の内部を示し、互いに重ならないで、ショートカット画面のうちのショートカット領域を除く領域の面積がより小さくなるように、ショートカット画面を生成する。このようなショートカット画面は、アプリケーション２１と同数のショートカットを表示することに比較して、ショートカット領域の各々の面積を大きくすることができ、ショートカット領域に記載される文字の大きさを大きくすることができる。このとき、ユーザは、ショートカット領域を識別することが容易になり、ショートカット領域を選択することが容易になる。
【００４２】
図１１は、ステップＳ３でタッチパネル７に接触が検出されたときにタッチパネル７に表示されるショートカット画面を示している。そのショートカット画面６１は、図４のショートカット画面３１と同様にして、複数のショートカット領域６２を備えている。複数のショートカット領域６２のうちのその接触が検出される部位に表示されるショートカット領域６３は、他のショートカット領域と異なる色で表示されている。
【００４３】
図１１は、さらに、ユーザの指がタッチパネル７に触れたまま移動しているときにタッチパネル７に表示されるショートカット画面を示している。そのショートカット画面６４は、その指が軌跡６５に沿って移動したときに、ショートカット画面６１が備えるショートカット領域６３に合同であるショートカット領域６６が、タッチパネル７のうちの接触が検出される部位に表示されている。
【００４４】
図１１は、さらに、ステップＳ４により設定し直されたショートカット画面を示している。そのショートカット画面６７は、ショートカット画面６１が備えるショートカット領域６３に合同であるショートカット領域６８が、タッチパネル７のうちの指が離された部位の近傍に表示されている。ショートカット画面６７は、さらに、ステップＳ２でタッチパネル７のうちの指が離された部位の近傍に表示されていたショートカット領域６９が、ショートカット画面６１でショートカット領域６３が表示されていた位置に表示されている。
【００４５】
複数のアプリケーションから１つのアプリケーションを選択する動作は、操作キー６またはタッチパネル７にユーザにより所定の操作がなされたときに、実行される。携帯電話機１は、まず、ショートカット画面を設定する動作により設定されたショートカット画面をタッチパネル７に表示する。携帯電話機１は、まず、タッチパネル７のうちの接触が検出された部位に表示されているショートカットに対応するアプリケーションを実行する。
【００４６】
タッチパネル７をテンキー入力に用いる動作は、アプリケーション２１のうちのいずれかのアプリケーションが実行されているときに、または、携帯電話機１が電話機として使用されるときに、実行される。携帯電話機１は、アプリケーション２１のうちのいずれかのアプリケーションが実行されているときに、テンキー入力画面４１をタッチパネル７に表示し、タッチパネル７のうちからユーザにより接触される部位の位置に基づいて数字列を生成し、その数字列をそのアプリケーションに受け渡す。携帯電話機１は、電話機として使用されるときに、テンキー入力画面４１をタッチパネル７に表示し、タッチパネル７のうちからユーザにより接触される部位の位置に基づいて電話番号を生成し、無線装置８を用いてその電話番号により識別される相手先装置に電話する。
【００４７】
すなわち、タッチパネル７は、アプリケーション２１から１つのアプリケーションを選択することと、数字を入力することと、電話番号を入力することとに兼用されることが好ましい。
【００４８】
タッチパネル７を手書き入力に用いる動作は、アプリケーション２１のうちのいずれかのアプリケーションが実行されているときに実行される。携帯電話機１は、手書き入力画面をタッチパネル７に表示し、タッチパネル７の表示面のうちからペン５１により接触される部位５２の位置をタッチパネル７から収集し、部位５２が移動するときに部位５２の軌跡から形成される図形５３をタッチパネル７に表示し、図形５３を文字に文字認識する。携帯電話機１は、アプリケーション２１のうちの１つのアプリケーションにより利用されているときに、さらに、その図形（または文字認識された文字を）そのアプリケーションに受け渡す。すなわち、タッチパネル７は、アプリケーション２１から１つのアプリケーションを選択することと、手書き入力すること（文字列を入力すること）に兼用されることが好ましい。
【図面の簡単な説明】
【００４９】
【図１】図１は、本発明による携帯電話機の実施の形態を示すブロック図である。
【図２】図２は、本発明による携帯電話機の実施の形態を示す平面図である。
【図３】図３は、本発明による携帯電話機の実施の形態を示すブロック図である。
【図４】図４は、ショートカット画面を示す図である。
【図５】図５は、テンキー入力画面を示す図である。
【図６】図６は、手書き入力に利用されているときのタッチパネルを示す図である。
【図７】図７は、ショートカット画面を更新する動作を示すフローチャートである。
【図８】図８は、ショートカットが２つであるときのショートカット画面を示す図である。
【図９】図９は、ショートカットが３つであるときのショートカット画面を示す図である。
【図１０】図１０は、ショートカットが４つであるときのショートカット画面を示す図である。
【図１１】図１１は、ショートカット画面を更新する動作で表示されるショートカット画面を示す図である。
【符号の説明】
【００５０】
１  ：携帯電話機
２  ：ＣＰＵ
３  ：メモリ
５  ：ディスプレイ
６  ：操作キー
７  ：タッチパネル
８  ：無線装置
１１：筐体
１２：筐体
１４：ヒンジ部
２１：アプリケーション
２３：ショートカット設定部
２４：実行部
２５：手書き入力部
２６：テンキー入力部
２７：電話部
３１：ショートカット画面
３２−１〜３２−ｎ：ショートカット領域
４１：テンキー入力画面
４２−０〜４２−９、４２−＊、４２−＃：キー領域
５１：ペン
５２：部位
５３：図形
６１：ショートカット画面
６２：複数のショートカット領域
６３：ショートカット領域
６４：ショートカット画面
６５：軌跡
６６：ショートカット領域
６７：ショートカット画面
６８：ショートカット領域
６９：ショートカット領域
７１：ショートカット画面
７２−１〜７２−２：ショートカット領域
７３：ショートカット画面
７４−１〜７４−３：ショートカット領域
７５：ショートカット画面
７６−１〜７６−４：ショートカット領域
【図１】
2008236466.tif 000003
【図２】
2008236466.tif 000004
【図３】
2008236466.tif 000005
【図４】
2008236466.tif 000006
【図５】
2008236466.tif 000007
【図６】
2008236466.tif 000008
【図７】
2008236466.tif 000009
【図８】
2008236466.tif 000010
【図９】
2008236466.tif 000011
【図１０】
2008236466.tif 000012
【図１１】
2008236466.tif 000013